(57)【要約】      （修正有）【課題】調律技術を向上させることができる調律支援装置、調律支援方法、及びプログラムを提供する。【解決手段】調律支援装置１は、指定された第１の周波数の正弦波及び第２の周波数の正弦波を生成する正弦波生成部３２と、前記正弦波生成部が生成した前記第１の周波数の正弦波と前記第２の周波数の正弦波とを合成して、うなり信号を生成する正弦波合成部３３と、前記正弦波合成部が生成した前記うなり信号を出力する出力部３５とを備える。【選択図】図１
2019095671.tif 000002
【特許請求の範囲】
【請求項１】
指定された第１の周波数の正弦波及び第２の周波数の正弦波を生成する正弦波生成部と、
前記正弦波生成部が生成した前記第１の周波数の正弦波と前記第２の周波数の正弦波とを合成して、うなり信号を生成する正弦波合成部と、
前記正弦波合成部が生成した前記うなり信号を出力する出力部と
を備える調律支援装置。
【請求項２】
前記うなり信号に所定の時間間隔で、所定の音信号を付加する信号付加部を備える
請求項１に記載の調律支援装置。
【請求項３】
前記所定の時間間隔が、１秒の整数倍の時間間隔であり、
前記信号付加部は、前記うなり信号に１秒の整数倍の時間間隔で、前記所定の音信号を付加する
請求項２に記載の調律支援装置。
【請求項４】
前記第１の周波数と前記第２の周波数との少なくとも１つの周波数を変更する周波数変更部を備える
請求項１から請求項３のいずれか一項に記載の調律支援装置。
【請求項５】
前記出力部には、前記うなり信号を音として出力する放音部が含まれる
請求項１から請求項３のいずれか一項に記載の調律支援装置。
【請求項６】
正弦波生成部が、指定された第１の周波数の正弦波及び第２の周波数の正弦波を生成する正弦波生成ステップと、
正弦波合成部が、前記正弦波生成ステップによって生成された前記第１の周波数の正弦波と前記第２の周波数の正弦波とを合成して、うなり信号を生成する正弦波合成ステップと、
出力部が、前記正弦波合成ステップによって生成された前記うなり信号を出力する出力ステップと
を含む調律支援方法。
【請求項７】
コンピュータに、
指定された第１の周波数の正弦波及び第２の周波数の正弦波を生成する正弦波生成ステップと、
前記正弦波生成ステップによって生成された前記第１の周波数の正弦波と前記第２の周波数の正弦波とを合成して、うなり信号を生成する正弦波合成ステップと、
前記正弦波合成ステップによって生成された前記うなり信号を出力する出力ステップと
を実行させるためのプログラム。
【発明の詳細な説明】
【技術分野】
【０００１】
本発明は、調律支援装置、調律支援方法、及びプログラムに関する。
【背景技術】
【０００２】
近年、ピアノ等の音の調律を支援する調律支援装置が知られている（例えば、特許文献１及び特許文献２を参照）。このような調律支援装置は、ピアノ音等の入力波形の周波数と調律対象の周波数との異同を明示するものであった。
【先行技術文献】
【特許文献】
【０００３】
【特許文献１】特開２００７−０１１０２３号公報
【特許文献２】特開２００７−０１０７８０号公報
【発明の概要】
【発明が解決しようとする課題】
【０００４】
しかしながら、例えば、１オクターブの平均律音階を調律するためには、２音を同時に鳴らしたうなりを利用して相対的なバランスを取る必要があり、より質の高い調律を行うために、うなりを利用して調律する技術の習得が求められる。上述した調律支援装置では、調律者が各鍵盤の１音ごとに調律することは可能であるが、例えば、うなりを利用して調律する技術を習得することは困難であった。
【０００５】
本発明は、上記問題を解決すべくなされたもので、その目的は、調律技術を向上させることができる調律支援装置、調律支援方法、及びプログラムを提供することにある。
【課題を解決するための手段】
【０００６】
上記問題を解決するために、本発明の一態様は、指定された第１の周波数の正弦波及び第２の周波数の正弦波を生成する正弦波生成部と、前記正弦波生成部が生成した前記第１の周波数の正弦波と前記第２の周波数の正弦波とを合成して、うなり信号を生成する正弦波合成部と、前記正弦波合成部が生成した前記うなり信号を出力する出力部とを備える調律支援装置である。
【０００７】
また、本発明の一態様は、上記の調律支援装置において、前記うなり信号に所定の時間間隔で、所定の音信号を付加する信号付加部を備えるようにしてもよい。
【０００８】
また、本発明の一態様は、上記の調律支援装置において、前記所定の時間間隔が、１秒の整数倍の時間間隔であり、前記信号付加部は、前記うなり信号に１秒の整数倍の時間間隔で、前記所定の音信号を付加するようにしてもよい。
【０００９】
また、本発明の一態様は、上記の調律支援装置において、前記第１の周波数と前記第２の周波数との少なくとも１つの周波数を変更する周波数変更部を備えるようにしてもよい。
【００１０】
また、本発明の一態様は、上記の調律支援装置において、前記出力部には、前記うなり信号を音として出力する放音部が含まれるようにしてもよい。
【００１１】
また、本発明の一態様は、正弦波生成部が、指定された第１の周波数の正弦波及び第２の周波数の正弦波を生成する正弦波生成ステップと、正弦波合成部が、前記正弦波生成ステップによって生成された前記第１の周波数の正弦波と前記第２の周波数の正弦波とを合成して、うなり信号を生成する正弦波合成ステップと、出力部が、前記正弦波合成ステップによって生成された前記うなり信号を出力する出力ステップとを含む調律支援方法である。
【００１２】
また、本発明の一態様は、コンピュータに、指定された第１の周波数の正弦波及び第２の周波数の正弦波を生成する正弦波生成ステップと、前記正弦波生成ステップによって生成された前記第１の周波数の正弦波と前記第２の周波数の正弦波とを合成して、うなり信号を生成する正弦波合成ステップと、前記正弦波合成ステップによって生成された前記うなり信号を出力する出力ステップとを実行させるためのプログラムである。
【発明の効果】
【００１３】
本発明によれば、うなりを利用して調律する技術を習得することができ、調律技術を向上させることができる。
【図面の簡単な説明】
【００１４】
【図１】本実施形態による調律支援装置の一例を示すブロック図である。
【図２】本実施形態による調律支援装置の操作画面の一例を示す図である。
【図３】本実施形態による調律支援装置のうなり出力処理の一例を示すフローチャートである。
【図４】本実施形態による調律支援装置の周波数変更処理の一例を示すフローチャートである。
【図５】ピアノの鍵盤と周波数との関係の一例を説明する図である。
【図６】ピアノのうなりによる調律の一例を示す図である。
【発明を実施するための形態】
【００１５】
以下、本発明の一実施形態による調律支援装置、及びプログラムについて図面を参照して説明する。
【００１６】
図１は、本実施形態による調律支援装置１の一例を示すブロック図である。
図１に示すように、調律支援装置１は、入力部１１と、表示部１２と、スピーカ１３と、ＨＰ（ヘッドホン）アンプと、記憶部２０と、制御部３０とを備える。
【００１７】
調律支援装置１は、例えば、スマートフォンやタブレット端末装置などの電子機器であり、ピアノなどの調律を支援する装置である。調律支援装置１は、ピアノの平均律音階を調律するための調律技術を向上させるために、調律者がうなりを聞き分ける技術を習得するトレーニング（訓練）機能として、うなりを発生させる機能を有している。
【００１８】
入力部１１は、例えば、タッチパネル、キーボードなどの入力装置であり、調律支援装置１に対する各種情報の入力や変更、各種操作などを受け付ける。
表示部１２は、例えば、液晶ディスプレイであり、調律支援装置１の各種処理を実行する際のメニュー画面、操作画面、設定画面などを表示する。
【００１９】
スピーカ１３（放音部の一例）は、各種音を放音（出力）する。スピーカ１３は、例えば、調律支援装置１が生成したうなり信号を、うなりとして放音（出力）する。スピーカ１３は、制御部３０からの制御指示に基づいて、音信号の出力、出力停止、音量変更などの処理を実行する。
【００２０】
ＨＰアンプ１４は、各種音を、ヘッドホンなどの外部放音部に出力する。ＨＰアンプ１４は、例えば、うなり信号を増幅して、例えば、外部のヘッドホン（不図示）に出力して、ヘッドホンにうなりを放音（出力）させる。ＨＰアンプ１４は、制御部３０からの制御指示に基づいて、音信号の出力、出力停止、音量変更などの処理を実行する。
なお、本実施形態において、スピーカ１３及びＨＰアンプ１４は、正弦波合成部３３が生成したうなり信号を出力する出力部の一例である。
【００２１】
記憶部２０は、調律支援装置１の各種処理に利用する情報を記憶する。記憶部２０は、例えば、うなりを発生させるために指定された２つの周波数（第１の周波数ｆ１及び第２の周波数ｆ２）、後述するタクト機能を有効にするか否かを示す情報（以下、タクト有効情報という）などを記憶する。
【００２２】
制御部３０は、例えば、ＣＰＵ（Central Processing Unit）などを含むプロセッサであり、調律支援装置１を統括的に制御する。制御部３０は、例えば、調律者がうなりを聞き分ける技術を習得するトレーニング（訓練）ために、指定された２つの周波数（第１の周波数ｆ１及び第２の周波数ｆ２）によりうなりを発生させて、スピーカ１３又はＨＰアンプ１４から出力させる。
制御部３０は、周波数設定処理部３１と、正弦波生成部３２と、正弦波合成部３３と、タクト付加部３４と、音出力処理部３５と、表示処理部３６とを備える。
【００２３】
周波数設定処理部３１（周波数変更部の一例）は、入力部１１が利用者（調律者）から受け付けた、第１の周波数ｆ１及び第２の周波数ｆ２の値を取得し、取得した第１の周波数ｆ１及び第２の周波数ｆ２の値を周波数の設定情報（以下、周波数設定情報という）として、記憶部２０に記憶させる。なお、第１の周波数ｆ１及び第２の周波数ｆ２は、例えば、可聴領域（約２０Ｈｚ（ヘルツ）〜約２０ｋＨｚ）の範囲内の周波数である。
【００２４】
また、周波数設定処理部３１は、入力部１１が受け付けた変更情報に基づいて、記憶部２０が記憶する周波数設定情報を変更する。周波数設定処理部３１は、第１の周波数ｆ１及び第２の周波数ｆ２の値を、例えば、“±０．１”、“±１．０”、及び“±１０”などの所定の変更単位により変更する。また、周波数設定処理部３１は、後述する周波数バーの位置に応じて、第１の周波数ｆ１及び第２の周波数ｆ２の値を変更する。周波数設定処理部３１は、変更した第１の周波数ｆ１及び第２の周波数ｆ２の値を、周波数設定情報として記憶部２０に記憶させて更新する。
【００２５】
正弦波生成部３２は、指定された第１の周波数ｆ１の正弦波（サイン波）及び第２の周波数ｆ２の正弦波を生成する。正弦波生成部３２は、例えば、記憶部２０に周波数の設定情報として記憶されている周波数設定情報（第１の周波数ｆ１及び第２の周波数ｆ２の値）を取得し、それぞれの周波数値に対応する第１の周波数ｆ１の正弦波及び第２の周波数ｆ２の正弦波を生成する。正弦波生成部３２は、例えば、演算処理により、第１の周波数ｆ１の正弦波の信号データと、第２の周波数ｆ２の正弦波の信号データとを生成する。
【００２６】
正弦波合成部３３は、正弦波生成部３２が生成した第１の周波数ｆ１の正弦波と第２の周波数ｆ２の正弦波とを合成（重ね合わせて）して、うなり信号を生成する。正弦波合成部３３は、例えば、演算処理により、第１の周波数ｆ１の正弦波の信号データと、第２の周波数ｆ２の正弦波の信号データとを加算（混合）して、うなり信号データを生成する。なお、第１の周波数ｆ１の正弦波と第２の周波数ｆ２の正弦波とを合成して生成されるうなりの周波数は、以下の式（１）で表される。
【００２７】
うなりの周波数  ＝  ｜ｆ１−ｆ２｜  ・・・  （１）
【００２８】
例えば、第１の周波数ｆ１が、４４６．５Ｈｚであり、第２の周波数ｆ２が、４４０．０Ｈｚである場合に、正弦波合成部３３は、６．５Ｈｚのうなりを発生するうなり信号を生成する。この場合、うなり信号は、１秒間に６．５回のうなりを発生する。
【００２９】
タクト付加部３４（信号付加部の一例）は、正弦波合成部３３が生成したうなり信号に所定の時間間隔で、所定の音信号（例えば、クリック音）を付加する。ここで、所定の時間間隔は、１秒の整数倍の時間間隔（例えば、１秒間隔、２秒間隔、３秒間隔など）であり、タクト付加部３４は、うなり信号に１秒の整数倍の時間間隔で、所定の音信号を付加する。タクト付加部３４は、例えば、記憶部２０が記憶するタクト機能を有効にするか否かを示す情報（タクト有効情報）が、“有効”である場合に、うなり信号に、１秒間隔でクリック音を付加する。
【００３０】
音出力処理部３５は、正弦波合成部３３が生成したうなり信号を、スピーカ１３又はＨＰアンプ１４から出力させる。また、音出力処理部３５は、タクト機能が有効な場合には、タクト付加部３４がクリック音を付加したうなり信号を、スピーカ１３又はＨＰアンプ１４から出力させる。
【００３１】
表示処理部３６は、各種処理を実行する際のメニュー画面、操作画面、設定画面などを表示部１２に表示させる。表示処理部３６は、うなりの訓練（トレーニング）を行う際に、例えば、図２に示すような操作画面Ｇ１を、表示部１２に表示させる。
【００３２】
図２は、本実施形態による調律支援装置１の操作画面の一例を示す図である。
図２に示す操作画面Ｇ１は、うなりの訓練（トレーニング）を行う際に、表示処理部３６によって表示部１２に表示される。操作画面Ｇ１において、表示領域Ｗ１は、第１の周波数ｆ１の値を入力する領域であり、表示領域Ｗ２は、第２の周波数ｆ２の値を入力する領域である。
【００３３】
また、変更ボタン領域Ｂ１、変更ボタン領域Ｂ２、及び周波数バーＢ３は、第１の周波数ｆ１の値を変更操作するための操作ボタンの領域及び操作バーである。また、変更ボタン領域Ｂ４、変更ボタン領域Ｂ５、及び周波数バーＢ６は、第２の周波数ｆ２の値を変更操作するための操作ボタンの領域及び操作バーである。また、操作領域Ｂ７は、うなり信号の出力開始（“Ｓｔａｒｔ”ボタン）、出力停止（“Ｓｔｏｐ”ボタン）、及びタクト機能を有効するか否か（“Ｔａｋｔ”ボタン）の操作を行う操作ボタンの領域である。
【００３４】
例えば、周波数設定処理部３１は、入力部１１を介して、表示領域Ｗ１に入力された第１の周波数ｆ１の値を取得する。また、周波数設定処理部３１は、入力部１１を介して、表示領域Ｗ２に入力された第２の周波数ｆ２の値を取得する。
また、入力部１１を介して、操作領域Ｂ７の“Ｓｔａｒｔ”ボタンが押下された場合に、制御部３０（正弦波生成部３２、正弦波合成部３３、及び音出力処理部３５）は、記憶部２０から周波数設定情報に基づいて、２つの周波数の正弦波によるうなり信号を生成し、スピーカ１３又はＨＰアンプ１４から出力させる。また、入力部１１を介して、操作領域Ｂ７の“Ｓｔｏｐ”ボタンが押下された場合に、制御部３０は、うなり信号のスピーカ１３又はＨＰアンプ１４からの出力を停止させる。
【００３５】
また、入力部１１を介して、操作領域Ｂ７の“Ｔａｋｔ”ボタンが押下された場合に、制御部３０は、タクト有効情報を“有効”にして、記憶部２０に記憶させ、タクト付加部３４は、うなり信号にクリック音の付加を開始する。また、入力部１１を介して、操作領域Ｂ７の“Ｔａｋｔ”ボタンが再押下された場合に、制御部３０は、タクト有効情報を“無効”にして、記憶部２０に記憶させ、タクト付加部３４は、うなり信号にクリック音の付加を停止する。
【００３６】
また、入力部１１を介して、変更ボタン領域Ｂ１又は変更ボタン領域Ｂ２のボタンの押下、あるいは、周波数バーＢ３が操作された場合に、周波数設定処理部３１は、記憶部２０が記憶する周波数設定情報のうちの第１の周波数ｆ１の値を変更する。また、入力部１１を介して、変更ボタン領域Ｂ４又は変更ボタン領域Ｂ５のボタンの押下、あるいは、周波数バーＢ６が操作された場合に、周波数設定処理部３１は、記憶部２０が記憶する周波数設定情報のうちの第２の周波数ｆ２の値を変更する。
【００３７】
次に、図３及び図４を参照して、本実施形態による調律支援装置１の動作について説明する。
図３は、本実施形態による調律支援装置１のうなり出力処理の一例を示すフローチャートである。
【００３８】
図３において、まず、調律支援装置１は、指定された第１の周波数ｆ１及び第２の周波数ｆ２を設定する（ステップＳ１０１）。制御部３０の周波数設定処理部３１は、上述した図２の表示領域Ｗ１及び表示領域Ｗ２などに、入力部１１を介して入力された周波数の値を、指定された第１の周波数ｆ１及び第２の周波数ｆ２として取得する。周波数設定処理部３１は、取得した第１の周波数ｆ１及び第２の周波数ｆ２の値を周波数設定情報として、記憶部２０に記憶させる。
【００３９】
次に、制御部３０は、動作開始であるか否かを判定する（ステップＳ１０２）。すなわち、制御部３０は、入力部１１を介して、上述した図２に示す操作領域Ｂ７の“Ｓｔａｒｔ”ボタンが押下されたか否かによって、動作開始であるか否かを判定する。制御部３０は、動作開始である場合（ステップＳ１０２：ＹＥＳ）に、処理をステップＳ１０３に進める。また、制御部３０は、動作開始でない場合（ステップＳ１０２：ＮＯ）に、処理をステップＳ１０２に戻す。
【００４０】
ステップＳ１０３において、制御部３０の正弦波生成部３２は、設定された第１の周波数ｆ１及び第２の周波数ｆ２を取得する。正弦波生成部３２は、例えば、記憶部２０に周波数の設定情報として記憶されている周波数設定情報（第１の周波数ｆ１及び第２の周波数ｆ２の値）を取得する。
【００４１】
次に、正弦波生成部３２は、第１の周波数ｆ１の正弦波と、第２の周波数ｆ２の正弦波とを生成する（ステップＳ１０４）。正弦波生成部３２は、例えば、演算処理により、第１の周波数ｆ１の正弦波の信号データと、第２の周波数ｆ２の正弦波の信号データとを生成する。
【００４２】
次に、制御部３０の正弦波合成部３３は、第１の周波数の正弦波と、第２の周波数の正弦波とからうなり信号を生成する（ステップＳ１０５）。正弦波合成部３３は、例えば、演算処理により、第１の周波数ｆ１の正弦波の信号データと、第２の周波数ｆ２の正弦波の信号データとを加算（混合）して、うなり信号データを生成する。
【００４３】
次に、制御部３０のタクト付加部３４は、タクト機能が有効であるか否かを判定する（ステップＳ１０６）。タクト付加部３４は、例えば、記憶部２０が記憶するタクト有効情報が、“有効”であるか否かによって、タクト機能が有効であるか否かを判定する。タクト付加部３４は、タクト機能が有効である場合（ステップＳ１０６：ＹＥＳ）に、処理をステップＳ１０７に進める。また、タクト付加部３４は、タクト機能が有効でない（無効である）場合（ステップＳ１０６：ＮＯ）に、処理をステップＳ１０８に進める。
【００４４】
ステップＳ１０７において、タクト付加部３４は、うなり信号に所定の時間間隔でクリック音を付加する。タクト付加部３４は、例えば、うなり信号に１秒間隔で、クリック音を付加して、クリック音付きのうなり信号データを生成する。タクト付加部３４は、ステップＳ１０７の処理後に、処理をステップＳ１０８に進める。
【００４５】
ステップＳ１０８において、調律支援装置１は、うなり信号を出力する。制御部３０の音出力処理部３５は、正弦波合成部３３が生成したうなり信号を、スピーカ１３又はＨＰアンプ１４から出力させる。また、音出力処理部３５は、タクト機能が有効な場合には、タクト付加部３４がクリック音を付加したうなり信号を、スピーカ１３又はＨＰアンプ１４から出力させる。
【００４６】
次に、制御部３０は、周波数の設定が変更されたか否かを判定する（ステップＳ１０９）。制御部３０は、例えば、周波数設定処理部３１によって、記憶部２０に記憶されている周波数設定情報が変更されたか否かを判定する。制御部３０は、周波数の設定が変更された場合（ステップＳ１０９：ＹＥＳ）に、処理をステップＳ１０３に戻し、周波数設定情報を再取得させる。また、制御部３０は、周波数の設定が変更されていない場合（ステップＳ１０９：ＮＯ）に、処理をステップＳ１１０に進める。
【００４７】
ステップＳ１１０において、制御部３０は、動作停止であるか否かを判定する。制御部３０は、入力部１１を介して、上述した図２に示す操作領域Ｂ７の“Ｓｔｏｐ”ボタンが押下されたか否かによって、動作停止であるか否かを判定する。制御部３０は、動作停止である場合（ステップＳ１１０：ＹＥＳ）に、処理をステップＳ１０２に戻す。また、制御部３０は、動作停止でない場合（ステップＳ１１０：ＮＯ）に、処理をステップＳ１０４に戻し、ステップＳ１０４からステップＳ１０９までの処理を繰り返し実行して、うなり信号の出力を継続する。
【００４８】
次に、図４を参照して、本実施形態による調律支援装置１の周波数変更処理について説明する。
図４は、本実施形態による調律支援装置１の周波数変更処理の一例を示すフローチャートである。なお、図４に示す例は、周波数設定処理部３１が第１の周波数ｆ１を変更する場合の一例である。
【００４９】
図４において、周波数設定処理部３１は、まず、上述した図２に示す操作画面Ｇ１において、入力部１１を介して、第１の周波数ｆ１が変更された場合に、第１の周波数ｆ１の分岐処理を実行する（ステップＳ２０１）。周波数設定処理部３１は、入力部１１を介した変更操作に応じて、以下のように処理を分岐して、第１の周波数ｆ１の変更を行う。
【００５０】
周波数設定処理部３１は、変更ボタン領域Ｂ２の“＋０．１”、“＋１”、又は“＋１０”のボタンが押下された場合に、処理をステップＳ２０２からステップＳ２０４の対応する各ステップに進めて、第１の周波数ｆ１に“０．１”、“１”、又は“１０”を加算する。周波数設定処理部３１は、第１の周波数ｆ１に各値を加算した周波数の値を、新たな第１の周波数ｆ１の値として、記憶部２０に記憶させる。周波数設定処理部３１は、ステップＳ２０２からステップＳ２０４の各処理後に、処理をステップＳ２０１に戻す。
【００５１】
また、周波数設定処理部３１は、変更ボタン領域Ｂ１の“−０．１”、“−１”、又は“−１０”のボタンが押下された場合に、処理をステップＳ２０５からステップＳ２０７の対応する各ステップに進めて、第１の周波数ｆ１から“０．１”、“１”、又は“１０”を減算する。周波数設定処理部３１は、第１の周波数ｆ１から各値を減算した周波数の値を、新たな第１の周波数ｆ１の値として、記憶部２０に記憶させる。周波数設定処理部３１は、ステップＳ２０５からステップＳ２０７の各処理後に、処理をステップＳ２０１に戻す。
【００５２】
また、周波数設定処理部３１は、周波数バーＢ３の移動の操作がされた場合に、処理をステップＳ２０８に進めて、第１の周波数ｆ１に周波数バーＢ３の位置に応じた周波数に変更する。ステップＳ２０８において、周波数設定処理部３１は、周波数バーＢ３の位置に応じて変更した周波数の値を、新たな第１の周波数ｆ１の値として、記憶部２０に記憶させる。周波数設定処理部３１は、ステップＳ２０８の処理後に、処理をステップＳ２０１に戻す。
【００５３】
なお、上述した図４に示すフローでは、周波数設定処理部３１が第１の周波数ｆ１を変更する場合について説明したが、周波数設定処理部３１は、第２の周波数ｆ２を変更する場合についても、図４に示すフローと同様の処理を実行する。但し、第２の周波数ｆ２を変更する場合には、周波数設定処理部３１は、変更ボタン領域Ｂ１、変更ボタン領域Ｂ２、及び周波数バーＢ３の操作の代わりに、変更ボタン領域Ｂ４、変更ボタン領域Ｂ５、及び周波数バーＢ６の操作に応じて、第２の周波数ｆ２を変更する。
【００５４】
また、本実施形態による調律支援装置１では、うなりをスピーカ１３又はＨＰアンプ１４に出力しながら、周波数設定処理部３１によって第１の周波数ｆ１又は第２の周波数ｆ２を変更可能である。
【００５５】
次に、図５及び図６を参照して、本実施形態による調律支援装置１をどのようにピアノの調律の訓練に使用するのかの使用例を説明する。
図５は、ピアノの鍵盤と周波数との関係の一例を説明する図である。
【００５６】
図５において、「鍵盤番号」は、各鍵盤の番号及び音名を示しており、「基音」は、各鍵盤の音の基本周波数を示している。また、「２倍音」は、基音の２倍の周波数を示し、「３倍音」は、基音の３倍の周波数を示し、「４倍音」は、基音の４倍の周波数を示し、「５倍音」は、基音の５倍の周波数を示し、「６倍音」は、基音の６倍の周波数を示している。
【００５７】
なお、図５に示す例は、「鍵盤番号」が“４７（５−Ａ）”を４４２Ｈｚとした場合の一部の鍵盤と周波数との関係を示している。
図５に示すように、各鍵盤の音には、「基音」の他に、「２倍音」〜「６倍音」などの倍音が含まれている。
【００５８】
調律者が、ピアノを調律する際には、まず、１オクターブの平均律音階を調律する必要があり、そのためには、各鍵盤を１音ごとに調律する他に、２音を同時に鳴らしたうなりを利用して相対的なバランスを取って調整する必要がある。うなりを利用して調律する例としては、例えば、図６に示すように、「鍵盤番号」が“３５（３−Ｇ）”の鍵盤と、“４０（４−Ｃ）”の鍵盤との相対関係を調整する場合に、うなりを利用する必要がある。
【００５９】
図６は、ピアノのうなりによる調律の一例を示す図である。
図６に示す例では、「鍵盤番号」が“３５（３−Ｇ）”の鍵盤の音と、“４０（４−Ｃ）”の鍵盤の音とを同時に流すと、うなりが発生する。具体的に、“３５（３−Ｇ）”の鍵盤の４倍音が、７８７．５６Ｈｚであり、“４０（４−Ｃ）”の鍵盤の３倍音が、７８８．４５Ｈｚであるため、上述した式（１）により、“３５（３−Ｇ）”の鍵盤の４倍音と、“４０（４−Ｃ）”の鍵盤の３倍音とにより、１秒間に０．８９回のうなりが発生する。
【００６０】
調律者は、ピアノのより質の高い調理を行うためには、このような、うなりの回数を聞き分ける必要がある。そこで、調律支援装置１に、第１の周波数ｆ１に７８７．５６Ｈｚを設定し、第２の周波数ｆ２に７８８．４５Ｈｚを設定して、うなりを発生させることにより、調律者は、うなりの聞き分けの訓練（トレーニング）を効率良く行うことが可能になる。
【００６１】
以上説明したように、本実施形態による調律支援装置１は、正弦波生成部３２と、正弦波合成部３３と、出力部（例えば、スピーカ１３、ＨＰアンプ１４など）とを備える。正弦波生成部３２は、指定された第１の周波数ｆ１の正弦波及び第２の周波数ｆ２の正弦波を生成する。正弦波合成部３３は、正弦波生成部３２が生成した第１の周波数ｆ１の正弦波と第２の周波数ｆ２の正弦波とを合成して、うなり信号を生成する。出力部（例えば、スピーカ１３、ＨＰアンプ１４など）は、正弦波合成部３３が生成したうなり信号を出力する。
【００６２】
これにより、本実施形態による調律支援装置１は、任意の周波数の組合せによって簡単にうなりを発生させることが可能になる。そのため、調律者は、例えば、１秒間のうなりの回数などを聞き分ける訓練や、実際に調律した結果のうなりとを比較して修正する訓練を効率良く行うことができる。よって、本実施形態による調律支援装置１は、うなりを利用して調律する技術を効率良く習得することができ、調律技術を向上させることができる。
【００６３】
なお、本実施形態による調律支援装置１では、例えば、基音だけでなく倍音によるうなりを発生させることが可能であるため、倍音を聞き分ける訓練を行いつつ、倍音によるうなりを聞き分ける訓練を効率良く行うことができる。
【００６４】
また、本実施形態による調律支援装置１は、うなり信号に所定の時間間隔で、所定の音信号（例えば、クリック音の信号）を付加するタクト付加部３４（信号付加部）を備える。なお、所定の時間間隔が、１秒の整数倍の時間間隔（例えば、１秒間隔、２秒間隔、３秒間隔など）である。
これにより、所定の時間間隔で、所定の音信号（例えば、クリック音の信号）が出力されるため、調律者は、うなりの回数を数え易くなる。そのため、本実施形態による調律支援装置１は、うなりを利用して調律する技術をさらに効率良く習得することができる。また、本実施形態による調律支援装置１は、例えば、１秒間隔などの１秒の整数倍の時間間隔により、うなりの速さを正確に把握することができる。
【００６５】
また、本実施形態による調律支援装置１は、第１の周波数ｆ１と第２の周波数ｆ２との少なくとも１つの周波数を変更する周波数設定処理部３１を備える。
これにより、例えば、うなりを出力しながら、一方の周波数を変更して、うなりの変化を確認しながら聞き分ける訓練を行うことができる。そのため、本実施形態による調律支援装置１は、うなりの回数を聞き分ける訓練をさらに効率良く行うことができる。
例えば、本実施形態による調律支援装置１は、一方の周波数を変更することで、調律の目標のうなりの回数に徐々に近づいて行く様子などの、実際の調律と同様の音の変化の様子を調律者に体験させることができる。
【００６６】
また、本実施形態では、出力部には、うなり信号を音として出力する放音部（例えば、スピーカ１３など）が含まれる。例えば、スピーカ１３は、正弦波合成部３３が生成したうなり信号を出力（放音）する。
これにより、本実施形態による調律支援装置１は、実際に、放音されたうなりを聞くことができ、うなりの回数を聞き分ける訓練を効率良く行うことができる。
【００６７】
なお、本発明は、上記の実施形態に限定されるものではなく、本発明の趣旨を逸脱しない範囲で変更可能である。
例えば、上記の実施形態において、正弦波生成部３２は、演算処理のより、第１の周波数ｆ１の正弦波の信号データと、第２の周波数ｆ２の正弦波の信号データとを生成する例を説明したが、これに限定されるものではない。正弦波生成部３２は、例えば、アナログ信号処理により、第１の周波数ｆ１の正弦波の信号と、第２の周波数ｆ２の正弦波の信号とを生成するようにしてもよい。
【００６８】
また、上記の実施形態において、正弦波合成部３３は、演算処理により、第１の周波数ｆ１の正弦波の信号データと、第２の周波数ｆ２の正弦波の信号データとを加算（混合）して、うなり信号データを生成する例を説明したが、これに限定されるものではない。正弦波合成部３３は、例えば、アナログ信号処理により、ｆ１の正弦波の信号と、第２の周波数ｆ２の正弦波の信号とをミキシングして、うなり信号を生成するようにしてもよい。
【００６９】
また、正弦波合成部３３は、単純に第１の周波数ｆ１の正弦波の信号データと、第２の周波数ｆ２の正弦波の信号データとを加算する例を説明したが、第１の周波数ｆ１の正弦波の信号データの値と、第２の周波数ｆ２の正弦波の信号データの値とをレベル調整して、加算するようにしてもよい。
また、タクト付加部３４は、所定の音信号（クリック音）に同期させて、表示部１２の画面の一部領域を点滅させるなどの視覚的に所定の時間間隔を提示するようにしてもよい。
【００７０】
また、上記の実施形態において、周波数設定処理部３１は、第１の周波数ｆ１と第２の周波数ｆ２との両方の周波数を変更可能な例を説明したが、これに限定されるものではなく、どちらか一方の周波数を変更可能に構成してもよい。また、周波数設定処理部３１は、所定の変更単位による変更、及び周波数バー（Ｂ３、Ｂ６）による変更を行う例を説明したが、例えば、入力部１１を介して倍率を設定して、所定の倍音の周波数に変更するようにしてもよい。
【００７１】
また、上記の実施形態において、調律支援装置１が、出力部の一例として、スピーカ１３と、ＨＰアンプ１４を備える例を説明したが、これに限定されるものではない。調律支援装置１は、出力部として、例えば、ＵＳＢ（Universal Serial Bus）  Ａｕｄｉｏ  Ｃｌａｓｓの規格によるインターフェース部や、Bluetooth（登録商標）などの無線通信のインターフェース部などを備えるようにしてもよい。
また、ＨＰアンプ１４は、放音部の一例として、ヘッドホンが接続される例を説明したが、放音部として、例えば、外部のスピーカ装置などを接続して、外部のスピーカ装置からうなりを出力するようにしてもよい。
【００７２】
また、上記の実施形態において、調律支援装置１は、例えば、スマートフォンやタブレット端末装置などの電子機器である例を説明したが、これに限定されるものではなく、ＰＣ（パーソナルコンピュータ）や、ＰＤＡ（Personal Digital Assistant）などの電子機器であってもよい。
【００７３】
なお、上述の調律支援装置１は内部に、コンピュータシステムを有している。そして、上述したうなりを出力する処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【００７４】
１…調律支援装置、１１…入力部、１２…表示部、１３…スピーカ、１４…ＨＰアンプ、２０…記憶部、３０…制御部、３１…周波数設定処理部、３２…正弦波生成部、３３…正弦波合成部、３４…タクト付加部、３５…音出力処理部、３６…表示処理部
【図１】
2019095671.tif 000003
【図２】
2019095671.tif 000004
【図３】
2019095671.tif 000005
【図４】
2019095671.tif 000006
【図５】
2019095671.tif 000007
【図６】
2019095671.tif 000008